【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
ビデオ符号化装置であって、
前記装置は、アーティファクト除去フィルタを備え、
前記アーティファクト除去フィルタは、
ピクチャの領域に関する少なくとも１つの領域ベースのフィルタ・パラメータを、アーティファクト除去フィルタリング前の前記領域におけるコンテンツの局所的分散に基づいて選択し、
前記領域ベースのフィルタ・パラメータを用いて前記領域に対するアーティファクト除去フィルタリングを実行するように構成され、
前記少なくとも１つの領域ベースのフィルタ・パラメータは、ビットストリームで信号送信されず、
前記領域は、非ブロック境界に相当し、
前記領域ベースのフィルタ・パラメータが前記領域における局所的分散に基づいて適応化されていることを示すモードが、ビットストリームで信号送信される、装置。
【請求項２】
複数のクラスの各クラスに関する複数セットのアーティファクト除去フィルタ・パラメータのそれぞれのセットを保存するためのメモリをさらに備え、前記領域ベースのフィルタ・パラメータは、前記局所的分散に基づいて、前記複数セットのアーティファクト除去フィルタ・パラメータから選択される、請求項１に記載の装置。
【請求項３】
クラスに関するアーティファクト除去フィルタ・パラメータのセットは、量子化パラメータおよび符号化情報に基づく、請求項２に記載の装置。
【請求項４】
ビデオ符号化方法であって、
ピクチャの領域に関する少なくとも１つの領域ベースのフィルタ・パラメータを、アーティファクト除去フィルタリング前の前記領域のコンテンツの局所的分散に基づいて選択することと、
前記領域ベースのフィルタ・パラメータを用いて前記領域に対するアーティファクト除去フィルタリングを実行することと、を含み、
前記少なくとも１つの領域ベースのフィルタ・パラメータは、ビットストリームで信号送信されず、
前記領域は、非ブロック境界に相当し、
前記領域ベースのフィルタ・パラメータが前記領域における局所的分散に基づいて適応化されていることを示すモードが、ビットストリームで信号送信される、方法。
【請求項５】
複数のクラスの各クラスに関する複数セットのアーティファクト除去フィルタ・パラメータのそれぞれのセットを保存することと、
前記局所的分散に基づいて、前記複数セットのアーティファクト除去フィルタ・パラメータから前記領域ベースのフィルタ・パラメータを選択することと、をさらに含む、請求項４に記載の方法。
【請求項６】
クラスに関するアーティファクト除去フィルタ・パラメータのセットは、量子化パラメータおよび符号化情報に基づく、請求項５に記載の方法。
【請求項７】
ビデオ復号化装置であって、
前記装置は、アーティファクト除去フィルタを備え、
前記アーティファクト除去フィルタは、
領域ベースのフィルタ・パラメータが局所的分散に基づいて適応化されていることを示すモードをビットストリームから復号化し、
ピクチャの領域に関する前記領域ベースのフィルタ・パラメータを、アーティファクト除去フィルタリング前の前記領域のコンテンツの局所的分散に基づいて選択し、
前記領域に関して選択された前記領域ベースのフィルタ・パラメータを用いて、前記ピクチャの前記領域に対するアーティファクト除去フィルタリングを実行するように構成され、
前記領域ベースのフィルタ・パラメータは、ビットストリームで信号送信されず、
前記領域は、非ブロック境界に相当する、装置。
【請求項８】
複数のクラスの各クラスに関する複数セットのアーティファクト除去フィルタ・パラメータのそれぞれのセットを保存するためのメモリをさらに備え、前記領域ベースのフィルタ・パラメータは、前記局所的分散に基づいて、前記複数セットのアーティファクト除去フィルタ・パラメータから選択される、請求項７に記載の装置。
【請求項９】
クラスに関するアーティファクト除去フィルタ・パラメータのセットは、量子化パラメータおよび符号化情報に基づく、請求項８に記載の装置。
【請求項１０】
ビデオ復号化方法であって、
領域ベースのフィルタ・パラメータが局所的分散に基づいて適応化されていることを示すモードをビットストリームから復号化することと、
ピクチャの領域に関する前記領域ベースのフィルタ・パラメータを、アーティファクト除去フィルタリング前の前記領域のコンテンツの局所的分散に基づいて選択することと、
前記領域に関して選択された前記領域ベースのフィルタ・パラメータを用いて、前記ピクチャの前記領域に対するアーティファクト除去フィルタリングを実行することと、を含み、
前記領域ベースのフィルタ・パラメータは、ビットストリームで信号送信されず、
前記領域は、非ブロック境界に相当する、方法。
【請求項１１】
複数のクラスの各クラスに関する複数セットのアーティファクト除去フィルタ・パラメータのそれぞれのセットを保存することと、
前記局所的分散に基づいて、前記複数セットのアーティファクト除去フィルタ・パラメータから前記領域ベースのフィルタ・パラメータを選択することと、を含む、請求項１０に記載の方法。
【請求項１２】
クラスに関するアーティファクト除去フィルタ・パラメータのセットは、量子化パラメータおよび符号化情報に基づく、請求項１１に記載の方法。
【請求項１３】
ピクチャの少なくとも１つの領域のピクチャ・データを送信するための送信器を備えた装置であって、
前記ピクチャ・データは、前記領域に関する少なくとも１つの領域ベースのフィルタ・パラメータを用いて符号化され、
前記少なくとも１つの領域ベースのフィルタ・パラメータは、ビットストリームで信号送信されず、
前記少なくとも１つの領域は、非ブロック境界に相当し、
前記送信器は、前記少なくとも１つの領域ベースのフィルタ・パラメータが、アーティファクト除去フィルタリング前の前記領域におけるコンテンツの局所的分散に基づいて適応化されていることを示し、かつ、前記領域に基づいて選択された前記領域ベースのフィルタ・パラメータを用いて前記領域に対するアーティファクト除去フィルタリングを行うことを可能にするモードを送信するようにさらに構成される、装置。
【請求項１４】
複数のクラスの各クラスに関する複数セットのアーティファクト除去フィルタ・パラメータのそれぞれのセットを保存するためのメモリをさらに備え、前記領域ベースのフィルタ・パラメータは、前記局所的分散に基づいて、前記複数セットのアーティファクト除去フィルタ・パラメータから選択される、請求項１３に記載の装置。
【請求項１５】
クラスに関するアーティファクト除去フィルタ・パラメータのセットは、量子化パラメータおよび符号化情報に基づく、請求項１４に記載の装置。
【請求項１６】
符号化されたビデオ信号データを有する、コンピュータによって読み取り可能な記憶媒体であって、
ピクチャの少なくとも１つの領域に関する少なくとも１つの領域ベースのフィルタ・パラメータを用いて符号化された、前記領域のピクチャ・データと、
領域ベースのフィルタ・パラメータが、アーティファクト除去フィルタリング前の前記領域におけるコンテンツの局所的分散に基づいて適応化されていることを示し、かつ、前記領域に基づいて選択された前記領域ベースのフィルタ・パラメータを用いて前記領域に対するアーティファクト除去フィルタリングを行うことを可能にするモードと、を含み、
前記少なくとも１つの領域ベースのフィルタ・パラメータは、ビットストリームで信号送信されず、
前記領域は、非ブロック境界に相当する、コンピュータによって読み取り可能な記憶媒体。
【請求項１７】
前記領域ベースのフィルタ・パラメータは、前記局所的分散に基づいて、複数セットのアーティファクト除去フィルタ・パラメータから選択され、前記複数セットのアーティファクト除去フィルタ・パラメータのそれぞれのセットは、複数のクラスの各クラスに対応する、請求項１６に記載の媒体。
【請求項１８】
クラスに関するアーティファクト除去フィルタ・パラメータのセットは、量子化パラメータおよび符号化情報に基づく、請求項１７に記載の媒体。
【手続補正２】
【補正対象書類名】明細書
【補正対象項目名】００７９
【補正方法】変更
【補正の内容】
【００７９】
添付図面を参照して本明細書中で例示的な実施の形態について説明したが、本発明はこれらの実施の形態に厳格に限定されるものではなく、関連技術に関して通常の技術を有する者であれば、本願の原理の範囲または精神を逸脱することなく、様々な変更、改変を施すことが可能であることが理解できるであろう。このような変更、改変は、全て、添付の請求の範囲に定義されたような本願の原理の範囲に含まれるように意図されている。
上記実施形態の一部又は全部は、以下の付記のようにも記載されうるが、以下には限られない。
（付記１）
ピクチャの少なくとも１つの領域のピクチャ・データを符号化する符号化器（１００）を含む装置であって、
前記符号化器（１００）は、
領域ベースのフィルタ・パラメータの選択を用いて前記領域に対してアーティファクト除去フィルタリングを実行するアーティファクト除去フィルタ（１６５）を含み、
前記領域は、非ブロック境界、ブロック境界、非ブロック境界とブロック境界の組み合わせ、さらに、ブロック境界を除いた非ブロック境界のうちのいずれかを含む、前記装置。
（付記２）
前記領域ベースのフィルタ・パラメータの選択は、少なくとも前記領域に関連する量子化ノイズおよび符号化情報に基づく領域ベースのフィルタ・パラメータの適応化と組み合わされる、付記１に記載の装置。
（付記３）
前記ピクチャの複数の領域について、前記ピクチャ・データが符号化され、前記符号化器（１００）は、独自パラメータ・テーブルを記憶し、前記複数の領域の各々に前記独自パラメータ・テーブルからのパラメータを適応化させ、スケーリング・ファクタを用いて前記パラメータを信号送信する、付記１に記載の装置。
（付記４）
前記ピクチャの複数の領域について、前記ピクチャ・データが符号化され、前記符号化器（１００）は、コンテンツ統計に基づいて前記複数の領域の各々にパラメータを適応化させ、対応する復号器に前記パラメータの信号送信を行うことを控える、付記１に記載の装置。
（付記５）
前記ピクチャの複数の領域について、前記ピクチャ・データが符号化され、前記領域ベースのフィルタ・パラメータの選択のための複数のパラメータの各々に対し、複数のクラスに基づいてインデックスが付けられて複数のクラスベースのパラメータのセットを取得し、前記複数のクラスの各々について、前記複数のクラスベースのパラメータのセットの各々が記憶され、前記複数の領域の各々のパラメータがインデックスを用いて信号送信される、付記１に記載の装置。
（付記６）
ピクチャの少なくとも１つの領域のピクチャ・データを符号化するステップを含む方法であって、
前記符号化するステップは、
領域ベースのフィルタ・パラメータの選択（３００）を用いて前記領域に対してアーティファクト除去フィルタリングを実行する（３２５）ステップを含み、
前記領域は、非ブロック境界、ブロック境界、非ブロック境界とブロック境界の組み合わせ、さらに、ブロック境界を除いた非ブロック境界のうちのいずれかを含む、前記方法。
（付記７）
前記領域ベースのフィルタ・パラメータの選択（３００）は、少なくとも前記領域に関連する量子化ノイズおよび符号化情報に基づく領域ベースのフィルタ・パラメータの適応化（３３５）と組み合わされる、付記６に記載の方法。
（付記８）
前記ピクチャの複数の領域について、前記ピクチャ・データが符号化され、前記符号化するステップは、
独自パラメータ・テーブルを記憶する（３０８）ステップと、
前記複数の領域の各々に前記独自パラメータ・テーブルからのパラメータを適応化させる（３３５）ステップと、  スケーリング・ファクタを用いて前記パラメータを信号送信する（３６０）ステップと、
を含む、付記６に記載の方法。
（付記９）
前記ピクチャの複数の領域について、前記ピクチャ・データが符号化され、前記符号化するステップは、
パラメータをコンテンツ統計に基づく複数の領域の各々に適応化させる（３３５）ステップと、
対応する復号器に前記パラメータの信号送信を行うことを控えるステップと、
を含む、付記６に記載の方法。
（付記１０）
前記ピクチャの前記複数の領域について、前記ピクチャ・データが符号化され、前記領域ベースのフィルタ・パラメータの選択のための複数のパラメータの各々に対し、複数のクラスに基づいてインデックスが付けられて複数のクラスベースのパラメータのセットを取得し（５１０）、前記複数のクラスの各々について、前記複数のクラスベースのパラメータのセットの各々が記憶され（５１５）、前記複数の領域の各々のパラメータがインデックスを用いて信号送信される（５２０）、付記６に記載の方法。
（付記１１）
ピクチャの少なくとも１つの領域のピクチャ・データを復号する復号器（２００）を含む装置であって、
前記復号器（２００）は、領域ベースのフィルタ・パラメータの選択を用いて前記領域に対してアーティファクト除去フィルタリングを実行するアーティファクト除去フィルタ（２６５）を含み、
前記領域は、非ブロック境界、ブロック境界、非ブロック境界とブロック境界の組み合わせ、さらに、ブロック境界を除いた非ブロック境界のうちのいずれかを含む、前記装置。
（付記１２）
前記領域ベースのフィルタ・パラメータの選択は、少なくとも前記領域に関連する量子化ノイズおよび符号化情報に基づく領域ベースのフィルタ・パラメータの適応化と組み合わされる、付記１１に記載の装置。
（付記１３）
前記領域は、様々なブロックのサイズと形を有することができる、付記１１に記載の装置。
（付記１４）
前記ピクチャの複数の領域について、前記ピクチャ・データが復号され、前記復号器（２００）は、スケーリング・ファクタを用いて前記複数の領域の各々のパラメータを示すインジケーションを受信し、前記複数の領域の各々の前記パラメータを含む独自パラメータ・テーブルを記憶し、前記複数の領域の各々に前記独自パラメータ・テーブルからの前記パラメータを適応化させる、付記１１に記載の装置。
（付記１５）
前記ピクチャの複数の領域について、前記ピクチャ・データが復号され、前記復号器（２００）は、対応する符号化器からの前記パラメータの信号送信がない場合に、コンテンツの統計に基づいて前記複数の領域の各々にパラメータを適応化させる、付記１１に記載の装置。
（付記１６）
前記ピクチャの複数の領域について、前記ピクチャ・データが復号され、前記領域ベースのフィルタ・パラメータの選択のための複数のパラメータの各々に対し、複数のクラスに基づいてインデックスが付けられて複数のクラスベースのパラメータのセットを取得し、前記複数のクラスの各々について、前記複数のクラスベースのパラメータのセットの各々が記憶され、前記復号器は、前記複数の領域の各々のパラメータに対するインデックスを受信する、付記１１に記載の装置。
（付記１７）
ピクチャの少なくとも１つの領域のピクチャ・データを復号するステップを含む方法であって、
前記復号するステップは、領域ベースのフィルタ・パラメータの選択（４１５）を用いて前記領域に対してアーティファクト除去フィルタリングを実行する（４３０）ステップを含み、
前記領域は、非ブロック境界、ブロック境界、非ブロック境界とブロック境界の組み合わせ、さらに、ブロック境界を除いた非ブロック境界のうちのいずれかを含む、前記方法。
（付記１８）
前記領域ベースのフィルタ・パラメータの選択（４１５）は、少なくとも前記領域に関連する量子化ノイズおよび符号化情報に基づく領域ベースのフィルタ・パラメータの適応化と組み合わされる、付記１７に記載の方法。
（付記１９）
前記ピクチャの複数の領域について、前記ピクチャ・データが復号され、前記復号ステップは、
スケーリング・ファクタを用いて前記複数の領域の各々のパラメータを示すインジケーションを受信する（４１５、４２５）ステップと、
前記複数の領域の各々のパラメータを含む独自パラメータ・テーブルを記憶する（４０８）ステップと、
前記複数の領域の各々に前記独自パラメータ・テーブルからの前記パラメータを適応化させる（４２５）ステップと、
を含む、付記１７に記載の方法。
（付記２０）
符号化されたビデオ信号データを記憶するコンピュータによって読み取り可能な記憶媒体であって、
アーティファクト除去フィルタリングのための領域ベースのフィルタ・パラメータの選択を用いて少なくとも１つの領域について符号化されたピクチャ・データを含み、
前記領域は、非ブロック境界、ブロック境界、非ブロック境界とブロック境界の組み合わせ、さらに、ブロック境界を除いた非ブロック境界のうちのいずれかを含む、前記コンピュータによって読み取り可能な記憶媒体。